【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
被写体像を撮像してＲＡＷ画像情報を生成する撮像手段と、
前記ＲＡＷ画像情報に対して現像処理を行い、現像画像情報を生成する現像手段と、
前記ＲＡＷ画像情報をＲＡＷ画像ファイルとして、前記現像画像情報を現像画像ファイルとして記録媒体に記録する記録再生手段と、
を有し、
前記記録再生手段は、前記現像手段による現像処理の状態に基づいて、前記記録媒体に記録されている前記ＲＡＷ画像ファイルのファイル名を変更する、
ことを特徴とする撮像装置。
【請求項２】
前記ＲＡＷ画像ファイルまたは前記現像画像ファイルは、ファイル内に現像履歴を現像ステータスとして保持しており、
前記記録再生手段は、前記現像ステータスから現像処理の状態を判断してファイル名を変更する、
ことを特徴とする請求項１に記載の撮像装置。
【請求項３】
前記記録再生手段は、前記ＲＡＷ画像ファイルに対して前記現像手段により現像処理されて生成された前記現像画像ファイルが存在する場合に、
前記ＲＡＷ画像ファイルのファイル名を、前記現像画像ファイルが存在することを示す記号を含むファイル名に変更する、
ことを特徴とする請求項１または２に記載の撮像装置。
【請求項４】
前記現像手段は、
撮影時に取得した前記ＲＡＷ画像情報に対して現像処理を行い、第１の現像画像情報を生成する第１の現像手段と、
前記記録媒体に記録された前記ＲＡＷ画像ファイルを読みだして前記第１の現像手段よりも高画質な第２の現像画像情報を得るための現像処理を行う第２の現像手段と、
を有することを特徴とする請求項１乃至３のいずれか１項に記載の撮像装置。
【請求項５】
前記記録再生手段は、前記ＲＡＷ画像ファイルのファイル名を、前記第１の現像画像情報が存在するか否か、および、前記第２の現像画像情報が存在するか否かを示す記号を含むファイル名に変更する、
ことを特徴とする請求項４に記載の撮像装置。
【請求項６】
前記記録再生手段は、
前記現像画像ファイルを前記記録媒体に記録する際に、前記第１の現像処理手段により生成された第１の現像画像情報か、前記第２の現像処理手段により生成された第２の現像画像情報かを識別可能なファイル名を付与して記録する、
ことを特徴とする請求項４または５に記載の撮像装置。
【請求項７】
前記現像画像情報、または、前記ＲＡＷ画像情報に係る画像を表示する表示処理手段をさらに有し、
前記表示処理手段は、前記現像画像ファイルまたは前記ＲＡＷ画像ファイルに基づく画像と、対応するファイル名とを関連付けて表示する、
ことを特徴とする請求項１乃至６のいずれか１項に記載の撮像装置。
【請求項８】
前記表示処理手段は、前記現像画像情報、または、前記ＲＡＷ画像情報のファイル名に基づいて、対応する前記現像画像情報、または、前記ＲＡＷ画像情報に対する現像処理の状態を判断して、前記現像画像情報、または、前記ＲＡＷ画像情報に係る画像を表示するときに、前記現像処理の状態を識別できるように表示する、
ことを特徴とする請求項７に記載の撮像装置。
【請求項９】
前記ＲＡＷ画像ファイルは、関連する前記現像画像情報の削除履歴をファイル内に保持し、
前記表示処理手段は、前記削除履歴に基づいて、前記現像画像情報、または、前記ＲＡＷ画像情報に係る画像を表示するときに、関連する前記現像画像情報の前記削除履歴が識別できるように表示する、
ことを特徴とする請求項７または８に記載の撮像装置。
【請求項１０】
被写体像を撮像してＲＡＷ画像情報を生成する撮像手段と、
前記ＲＡＷ画像情報に対して現像処理を行い、現像画像情報を生成する現像手段と、
前記ＲＡＷ画像情報をＲＡＷ画像ファイルとして、前記現像画像情報を現像画像ファイルとして記録媒体に記録する記録再生手段と、
前記現像画像情報、または前記ＲＡＷ画像情報に係る画像を表示する表示処理手段と、
を有し、
前記表示処理手段は、前記現像画像ファイル、または前記ＲＡＷ画像ファイルに係る画像とともに、第１の現像処理および前記第１の現像処理よりも高画質な第２の現像処理のいずれにより現像されたのかを識別可能に表示する、
ことを特徴とする撮像装置。
【請求項１１】
被写体像を撮像してＲＡＷ画像情報を生成する撮像工程と、
前記ＲＡＷ画像情報に対して現像処理を行い、現像画像情報を生成する現像工程と、
前記ＲＡＷ画像情報をＲＡＷ画像ファイルとして、前記現像画像情報を現像画像ファイルとして記録媒体に記録する記録再生工程と、
を有し、
前記記録再生工程では、前記現像工程による現像処理の状態に基づいて、前記記録媒体に記録されている前記ＲＡＷ画像ファイルのファイル名を変更する、
ことを特徴とする撮像装置の制御方法。
【請求項１２】
被写体像を撮像してＲＡＷ画像情報を生成する撮像工程と、
前記ＲＡＷ画像情報に対して現像処理を行い、現像画像情報を生成する現像工程と、
前記ＲＡＷ画像情報をＲＡＷ画像ファイルとして、前記現像画像情報を現像画像ファイルとして記録媒体に記録する記録再生工程と、
前記現像画像情報、または前記ＲＡＷ画像情報に係る画像を表示する表示処理工程と、
を有し、
前記表示処理工程では、前記現像画像ファイル、または前記ＲＡＷ画像ファイルに係る画像とともに、第１の現像処理および前記第１の現像処理よりも高画質な第２の現像処理のいずれにより現像されたのかを識別可能に表示する、
ことを特徴とする撮像装置の制御方法。
【請求項１３】
被写体像を撮像してＲＡＷ画像情報を生成する撮像工程と、
前記ＲＡＷ画像情報に対して現像処理を行い、現像画像情報を生成する現像工程と、
前記ＲＡＷ画像情報をＲＡＷ画像ファイルとして、前記現像画像情報を現像画像ファイルとして記録媒体に記録する記録再生工程と、
を有し、
前記記録再生工程では、前記現像工程による現像処理の状態に基づいて、前記記録媒体に記録されている前記ＲＡＷ画像ファイルのファイル名を変更する、
撮像装置の制御方法をコンピュータに実行させるためのプログラム。
【請求項１４】
被写体像を撮像してＲＡＷ画像情報を生成する撮像工程と、
前記ＲＡＷ画像情報に対して現像処理を行い、現像画像情報を生成する現像工程と、
前記ＲＡＷ画像情報をＲＡＷ画像ファイルとして、前記現像画像情報を現像画像ファイルとして記録媒体に記録する記録再生工程と、
前記現像画像情報、または前記ＲＡＷ画像情報に係る画像を表示する表示処理工程と、
を有し、
前記表示処理工程では、前記現像画像ファイル、または前記ＲＡＷ画像ファイルに係る画像とともに、第１の現像処理および前記第１の現像処理よりも高画質な第２の現像処理のいずれにより現像されたのかを識別可能に表示する、
撮像装置の制御方法をコンピュータに実行させるためのプログラム。
【請求項１５】
請求項１３または１４に記載のプログラムを記憶したことを特徴とするコンピュータ読み取り可能な記憶媒体。
【手続補正２】
【補正対象書類名】明細書
【補正対象項目名】００１０
【補正方法】変更
【補正の内容】
【００１０】
本発明の撮像装置は、被写体像を撮像してＲＡＷ画像情報を生成する撮像手段と、前記ＲＡＷ画像情報に対して現像処理を行い、現像画像情報を生成する現像手段と、前記ＲＡＷ画像情報をＲＡＷ画像ファイルとして、前記現像画像情報を現像画像ファイルとして記録媒体に記録する記録再生手段と、を有し、前記記録再生手段は、前記現像手段による現像処理の状態に基づいて、前記記録媒体に記録されている前記ＲＡＷ画像ファイルのファイル名を変更することを特徴とする。